(57)【特許請求の範囲】
【請求項１】
一枚のラベル用紙の折り畳みと抜き加工により連続体として形成された複数層のラベルが、裏面に接着剤層を有するラベル台紙の表面に取り外し可能に接着されている折り畳みラベルであって、ラベル連続体の展開形状が、抜き穴により角が丸められたラベルがその抜き穴と折線とを介して複数行複数列に連なった形状を有する折り畳みラベル。
【請求項２】
最上層のラベルの一辺に切断誘導線を介して糊代片が延設され、糊代片がラベル台紙に強接着されると共に、糊代片と反対側で最上層のラベルに連続するラベルが最下層のラベルとなってラベル台紙に剥離可能に接着されている請求項１記載の折り畳みラベル。
【請求項３】
ラベル台紙は、糊代片の貼着部側とその反対側とに、ラベルの積層領域から突出した突出片を有し、突出片の突出方向側端部の幅が、その基部の幅に対して広い請求項２記載の折り畳みラベル。
【請求項４】
一枚のラベル用紙を、互いに交差する方向に合計で複数回折り畳む工程、
裏面に接着剤層を有するラベル台紙用シートの表面に接着剤を塗工する工程、
接着剤を塗工したラベル台紙用シートと、前記折り畳んだラベル用紙とを積層して接着する工程、
ラベル台紙用シートと、折り畳んだラベル用紙との積層物に抜き加工を行うことにより、抜き穴により角が丸められたラベルがその抜き穴と折線とを介して複数行複数列に連なった展開形状のラベル連続体を形成する工程、
を備える請求項１記載の折り畳みラベルの製造方法。
【請求項５】
抜き加工を行う工程において、前記ラベル台紙用シートを、折り畳まれたラベル用紙の積層領域と共に非積層領域で打ち抜くことにより、ラベル台紙に、折り畳まれたラベル連続体の積層領域から突出した突出片を形成する請求項４記載の折り畳みラベルの製造方法。
【発明の詳細な説明】
【技術分野】
【０００１】
本発明は、商品説明等が表示されるラベルであって、折り畳まれて、ビン、缶、箱などの容器の表面に貼付される折り畳みラベルに関する。
【背景技術】
【０００２】
商品の使用方法、取扱方法、キャンペーン情報、関連製品の案内等を印刷した紙片を折り畳んで当該商品の容器の表面に貼付する折り畳みラベルは、消費者の目にとまりやすく、消費者が必ず商品と共に持ち帰ることになるため、広く使用されている。
【０００３】
このような折り畳みラベルには、矩形のラベル用紙を折り畳み、その底面を支持薄板に接着し、支持薄板と折り畳んだラベル用紙全体を感圧性接着フィルムで覆ったもの（特許文献１）や、はがき付きラベル用紙を折り畳み、その最上層の一端を台紙に接着すると共に、最下層を台紙に剥離可能に接着したもの（特許文献２）などがある。
【先行技術文献】
【特許文献】
【０００４】
【特許文献１】特公平６−９８９３号公報
【特許文献２】特開２００２−５９６７６号公報
【発明の概要】
【発明が解決しようとする課題】
【０００５】
従来の、矩形のラベル用紙を折り畳んだ紙面では、限られた紙面の折り畳みラベルに多くの情報を記載する場合、小さい文字で情報を詰め込むことになるため読みづらく、インパクトのないものになりやすい。
【０００６】
一方、文字を小さくせずに情報を詰め込むには紙面を広くすることになり、折り畳み回数を多くしなければならないため、折り畳んだ状態でラベルが変形したり、折り畳みラベルの折り目が厚く膨らんだりすることにより、折り畳みラベルが、それを貼る容器から浮き上がりやすくなるという問題が生じる。
【０００７】
これに対し、本発明は、折り畳みラベルに多くの情報を記載する場合でも、情報をわかりやすく表示することができ、かつ、折り畳んだ状態でのラベルの浮き上がりを低減させることのできる折り畳みラベルを提供することを目的とする。
【課題を解決するための手段】
【０００８】
本発明者は、折り畳みラベルの展開形状を、抜き加工により角が丸められたラベルが折線と抜き穴を介して複数行複数列に連なったものとすることにより、折り畳まれた個々のラベルを一枚ずつの独立したパネルのように目立たせることができ、それにより情報をわかりやすく表示でき、消費者が情報を容易に判別し、内容を理解しやすくなること、また、折り畳んだ状態でのラベルの浮き上がりも低減できることを見出した。
【０００９】
即ち、本発明は、一枚のラベル用紙の折り畳みと抜き加工により連続体として形成された複数層のラベルが、裏面に接着剤層を有するラベル台紙の表面に取り外し可能に接着されている折り畳みラベルであって、ラベル連続体の展開形状が、抜き穴により角が丸められたラベルがその抜き穴と折線とを介して複数行複数列に連なった形状を有する折り畳みラベルを提供する。
【００１０】
また、本発明は、上記折り畳みラベルの製造方法として、一枚のラベル用紙を互いに交差する方向に合計で複数回折り畳む工程、
裏面に接着剤層を有するラベル台紙用シートの表面に接着剤を塗工する工程、
接着剤を塗工したラベル台紙用シートと、前記折り畳んだラベル用紙とを積層して接着する工程、
ラベル台紙用シートと、折り畳んだラベル用紙との積層物に抜き加工を行うことにより、抜き穴により角が丸められたラベルがその抜き穴と折線とを介して複数行複数列に連なった形状のラベル連続体を形成する工程、
を備える方法を提供する。
【発明の効果】
【００１１】
本発明の折り畳みラベルによれば、ラベル連続体の展開形状が、角が丸められたラベルが折線と抜き穴を介して複数行複数列に連なった形状を有するので、個々のラベルが一枚ずつの独立したパネルのように認識される。したがって、パネルごとに所定の表示項目を記載することにより、その項目ごとの認識が容易となり、折り畳みラベル全体で伝える情報もわかりやすくなり、消費者が内容を理解しやすくなる。
【００１２】
また、本発明の折り畳みラベルによれば、折り畳んだ状態で積層されているラベルの角部が抜き加工により丸く形成されているため、個々のラベルに、折り畳んだことによる歪みが溜まりにくく、平坦性が維持され、曲面部を有する容器に貼り付けた場合にも端部からの浮き上がりも抑制することができる。
【図面の簡単な説明】
【００１３】
【図１Ａ】図１Ａは、一実施例の折り畳みラベルの平面図（ａ）、及び断面図（ｂ）である。
【図１Ｂ】図１Ｂは、表示例(図柄)を記載した図１Ａの折り畳みラベルの展開図(ａ)、及び折畳みラベルを取り外した状態のラベル台紙（ｂ）である。
【図２】図２は、図１Ａの折り畳みラベルを貼着した缶状容器の斜視図（ａ）及びその部分断面図（ｂ）である。
【図３Ａ】図３Ａは折り畳みラベルの製造方法の説明図である。
【図３Ｂ】図３Ｂは折り畳みラベルの製造方法の説明図である。
【図３Ｃ】図３Ｃは折り畳みラベルの製造方法の説明図である。
【図３Ｄ】図３Ｄは折り畳みラベルの製造方法の説明図である。
【図３Ｅ】図３Ｅは折り畳みラベルの製造方法の説明図である。
【図３Ｆ】図３Ｆは折り畳みラベルの製造方法の説明図である。
【図３Ｇ】図３Ｇは折り畳みラベルの製造方法の説明図である。
【図４】図４は帯状のラベル台紙に複数の折り畳みラベルを配列させたものがロール状に巻かれている折り畳みラベルロールの斜視図である。
【図５】図５は、異なる実施例の折り畳みラベルの平面図（ａ）及び断面図（ｂ）である。
【発明を実施するための形態】
【００１４】
以下、本発明を、図面を参照しつつ詳細に説明する。なお、各図中、同一符号は同一又は同等の構成要素を表している。
【００１５】
図１Ａは、本発明の一実施例の折り畳みラベル１の平面図（ａ）及び断面図（ｂ）である。この折り畳みラベル１は、一枚のラベル用紙２x（図３Ａ参照）の折り畳みと抜き加工により、連続体として形成された複数層のラベル３が、ラベル台紙２０（図１Ｂ（ｂ）参照）の表面に取り外し可能に接着されたものである。
【００１６】
ラベル３は、後述するラベル用紙２xの折り畳みと抜き加工による抜き穴により、角が丸められた矩形、円、楕円等の角が丸められた形状を有している。また、本発明においてラベル３は折線４と抜き穴５を介して互いに連続し、複数行複数列の連続体を形成しており、本実施例では、図１Ｂ（ａ）に示すように、２行４列のラベル連続体２を形成している。このため、この折り畳みラベル１によれば、ラベル台紙２０から折り畳まれたラベル連続体２を取り外し、それを広げることにより、個々のラベル３が折線４だけでなく、抜き穴５によって独立的なパネルとして認識されるので、ラベル３ごとに所定の情報を記載することにより、項目ごとの認識が容易となり、折り畳みラベル全体に記載されている情報も理解しやすくなる。また、上下に連なる一列のラベル３を一つのユニットとして、ユニットごとに表示内容を展開していくことができ、これによっても表示内容を視覚的にわかりやすくすることができる。例えば、図１Ｂ（ａ）に示すように、上方のラベル３ａにイメージ情報を記載し、下側のラベル３ｂにその説明文を記載し、いわゆる雪だるまを模したようなものを一つのユニットとして、複数ユニットを一行に並べることにより、製品の取り扱い方法などを、順序立ててわかりやすく表示することができる。
なお、ラベル３の連続体の形態としては、ラベル用紙２xの折畳み回数や畳んだ状態でのラベル断面の厚さ、使用時に消費者がラベルを広げる操作の点から、縦方向には２行〜４行程度、また横のつながり方向では２列〜１０行程度、特に３列〜８列程度の範囲とすることが好ましい。
【００１７】
また、この折り畳みラベル１によれば、折り畳まれたラベル用紙２xの抜き加工により、ラベル台紙２０に積層されている個々のラベル３は角が丸められた形状となっているので、折り畳みによりラベル３の隅が集まる部分は抜き穴５となっている。このため、個々のラベル３は、ラベル用紙２xの折り畳みにより積層されているにも関わらず平坦性を維持し易く、特に折り畳みラベルを曲面部に貼り付けた場合にも、折り畳まれたラベル連続体２がラベル台紙２０から浮き上がりにくく、ラベル台紙２０が容器から浮き上がりにくい。また、ラベルが矩形である場合に生じ易い角部や端部の歪みや変形も生じない。
【００１８】
この折り畳みラベル１では、最上層のラベル３ｐの一辺にミシン目や、ハーフカット等の切断誘導線６を介して半月形の糊代片７が延設されており、糊代片７がラベル台紙２０に強接着剤層８で強接着されている。ここで、強接着とは、通常の使用状態では剥離しない程度に強く接着されていることをいう。この強接着剤層８による接着領域は、容器へのラベル貼付工程や輸送時におけるラベル打ち抜き端部のめくれや破損の点から、糊代片７の全面とせず、切断誘導線６と反対側の端部領域とすることが好ましい。
【００１９】
また、この折り畳みラベル１では、糊代片７と反対側で最上層のラベル３ｐに連続するラベルが最下層のラベル３ｑとなり、最下層のラベル３ｑがラベル台紙２０に弱接着剤層９で剥離可能に弱接着されている。ここで、弱接着とは、外力が加わらない場合には接着状態を維持するが、人が指で摘み上げることにより容易に剥離できる程度に接着されていることをいう。接着剤層には、エマルジョン系接着剤、ホットメルト等の汎用的な接着剤が使用できる。なお、図５に示す折り畳みラベル１Ｂのように、糊代片７と最上層のラベル３ｐとの間に切断誘導線６を設けていない場合には糊代片７とラベル台紙２０との接着部分を弱接着剤層9としても良い。
【００２０】
上述の折り畳みラベル１、１Ｂのように折線４で繋がる最上層のラベル３ｐと最下層のラベル３ｑとの間に残りのラベルが挟まれ、最上層のラベル３ｐが糊代片７を介してラベル台紙２０の一端側に接着され、糊代片７と反対側で最上層のラベル３ｐに連続する最下層のラベル３ｑがラベル台紙２０の他端側に接着されることにより、ラベル３の積層物全体がラベル台紙２０上に保持される。
【００２１】
ラベル用紙２xとしては、折り畳んだ際に重なり部が浮き上がらず、しっかりとして折目を付けやすい点から、坪量５０〜100ｇ/ｍ2の上質紙、両面アート紙、合成紙等を使用することが好ましい。
【００２２】
一方、ラベル台紙２０は、裏面に接着剤層２１を有し、接着剤層２１上には剥離紙２２が積層されている。ラベル台紙２０としては、発泡PET、合成紙、紙等を使用することができる。
【００２３】
ラベル台紙２０の形状は、糊代片７の貼着部側とその反対側に、ラベル３の積層領域となるラベル台紙２０の中央部領域２３から突出した突出片２４、２５を有している。これらの突出片２４、２５は、互いに対称形とすることができ、突出方向側端部の幅（即ち、突出方向に直交する方向の幅）Ｌ１が、その突出片２４、２５の基部の幅Ｌ２に対して広く、これら突出片２４、２５と中央部領域２３とのなす角度θが鋭角となっている。このように突出方向側端部の幅Ｌ１を広くして突出片２４、２５をラベル台紙２０の中央領域２３から突出させることにより、図２（ａ）に示すように、折り畳みラベル１のラベル台紙２０を円筒状の容器３０の側面、即ち、曲率を有する面に貼着した場合にも、ラベル連続体２の折り畳みの反発による剥がれを効果的に防止することができる。また、突出片２４の基部の幅Ｌ２を狭め、そこにラベル連続体２の切断誘導線６を一致させることにより、消費者は、(i)図２（ａ）に矢印ａで示したように、切断誘導線６を破断して折り畳まれているラベル連続体２をラベル台紙２０から取り外すこと、あるいは(ii)最上層のラベル３ｐの切断誘導線６と反対側の縁部がラベル台紙２０から突出していることから、まず、図２（ｂ）に矢印ｂで示したように、最上層のラベル３ｐの切断誘導線６と反対側の縁部から折り畳まれたラベル連続体２を引き上げ、切断誘導線６を破断し、折り畳まれたラベル連続体２をラベル台紙２０から取り外すことを容易に認識することができる。
【００２４】
折り畳みラベル１は、例えば、次のようにして製造することができる。
まず、図３Ａに示すように、ラベル用紙２xに所定の情報を印刷する。なお、図中の破線は、後の抜き加工により形成するラベル連続体２の展開形状を示している。次に、ラベル用紙２xを、一点鎖線で示す長手方向の２つの折線で矢印のように折り畳む。次いで、図３Ｂに示すように、先の折線と直交する方向の一点鎖線で示す折線により、ラベル用紙２xを折り畳み、さらに図３Ｃ、図３Ｄに示すように、ラベル用紙２xを一点鎖線で示す折線により順次矢印のように２つ折り畳む。こうして折り畳みラベルの２個分の折り畳み物１０を得る。
なお、この折り畳み物１０の弱接着剤層９の形成位置には、例えば、接着力の調整のために剥離用のニスを塗布しておくことが好ましい。
【００２５】
一方、図３Ｅに示すように、裏面に接着剤層２１と剥離紙２２を有する長尺のラベル台紙２０を用意し、上述の折り畳み物１０の配置予定位置の強接着剤層８の形成位置に、例えばエマルジョン系接着剤等の強接着剤層形成用の接着剤を帯状に塗工し、また、弱接着剤層９の形成位置に例えばホットメルト接着剤等の弱接着剤層形成用の接着剤を帯状に塗工する。
【００２６】
次いで、図３Ｆに示すように、上述の折り畳み物１０を積層し、折り畳み物１０とラベル台紙２０とを接着する。そして、これに抜き加工を行い、ラベル台紙２０上の折り畳まれたラベルの積層領域と、非積層領域（即ち、ラベル台紙２０のみの領域）を同時に打ち抜くことにより、図３Ｇに示すように、剥離紙２２上に折り畳みラベル１が２列に所定間隔で配列したシートを得る。これを長手方向にスリットし、ロール状に巻き取ることにより、図４に示すように折り畳みラベルロール１１を得ることができる。こうして得られる折り畳みラベル１は剥離紙２２が剥がされ、図２に示すように、容器３０等の表面に貼着される。
【００２７】
なお、上述した折り畳みラベルの製造方法は、一枚のラベル用紙から２個の折り畳んだラベルを打ち抜く方法であるが、本発明において折り畳みラベルの製造方法はこれに限られず、例えば、一枚のラベル用紙から折り畳みラベルを１個ずつ打ち抜くようにしてもよい。
【産業上の利用可能性】
【００２８】
本発明の折り畳みラベルは、ビン、缶、箱などの容器の表面に、その容器に係る商品の情報を記載した紙面を貼付するために有用である。
【符号の説明】
【００２９】
１、１Ｂ    折り畳みラベル
２    ラベル連続体
２x   ラベル用紙
３    ラベル
３ａ  上方のラベル
３ｂ  下側のラベル
３ｐ  最上層のラベル
３ｑ  最下層のラベル
４    折線
５    抜き穴
６    切断誘導線
７    糊代片
８    強接着剤層
９    弱接着剤層
１０    折り畳み物
１１    折り畳みラベルロール
２０    ラベル台紙
２１    接着剤層
２２    剥離紙
２３    ラベル台紙の中央部領域
２４    糊代片側の突出片
２５    糊代片と反対側の突出片
３０    容器
【図１Ａ】
0005488148.tif 000002
【図１Ｂ】
0005488148.tif 000003
【図２】
0005488148.tif 000004
【図３Ａ】
0005488148.tif 000005
【図３Ｂ】
0005488148.tif 000006
【図３Ｃ】
0005488148.tif 000007
【図３Ｄ】
0005488148.tif 000008
【図３Ｅ】
0005488148.tif 000009
【図３Ｆ】
0005488148.tif 000010
【図３Ｇ】
0005488148.tif 000011
【図４】
0005488148.tif 000012
【図５】
0005488148.tif 000013